(57)【要約】      （修正有）【課題】窓内装飾という奥行き方向の基本デザインに加えて、窓内にも奥行きのある意匠装飾を施してデザイン性を向上させ、さらに奥行きのあるデザイン装飾を安定して形成する包装用箱を提供する。【解決手段】箱体の一側面寄りに窓１Ｗ付きの装飾空間Ｓ１を設け、この装飾空間Ｓ１内に、任意の装飾形状に切り抜き成形された複数の装飾片２１，２２・・・を収容して、窓１Ｗから装飾空間Ｓ１内の装飾片２１，２２・・・を観察可能とした構成である。装飾片２１，２２・・・は、前層寄りの第一装飾片２１と、後層寄りの第二装飾片２２と、・・・からなる多層の各装飾片同士を、装飾空間Ｓ１内の奥行き方向へ重なるように互いに連結させた、一体のスライド片Ｐからなる。【選択図】図１
0003185731.tif 000002
【実用新案登録請求の範囲】
【請求項１】
内容物を包装する箱体に窓付きの装飾空間を設け、この装飾空間内に、任意の装飾形状に切り抜き成形された複数の装飾片を収容して、窓から装飾空間内の装飾片を観察可能とした構成であって、
前記装飾片は、前層の第一装飾片と、後層の第二装飾片と、・・・からなる多層の各装飾片同士を、装飾空間内の奥行き方向へ部分的に又は全体的に重なるように互いに連結させた、一体のスライド片からなることを特徴とする包装用箱。
【請求項２】
前記第一装飾片と、第二装飾片と、・・・からなる多層の装飾片同士は、各片同士を連結し且つその一部分が装飾空間周縁の板面に沿う連結片によって連結される請求項１記載の包装用箱。
【請求項３】
前記複数の装飾片の少なくともいずれかの先側又は近接する各装飾片間側には、所定の折り線で折り返し装飾可能な折り返し装飾片が設けられ、当該折り返し装飾片は、前記折り線にて各装飾片に重なるように折り返された状態で収容される請求項１又は２記載の包装用箱。
【請求項４】
前記複数の装飾片の少なくとも一片は、それぞれ装飾空間の奥行き方向又は高さ方向へ突っ張り固定される固定側片４１，４２・・・を有する請求項１〜３のいずれか１項に記載の包装用箱。
【請求項５】
前記複数の装飾片又は連結片の少なくとも二片の両側部に、装飾空間の奥行き方向又は高さ方向に突っ張り固定される固定側片４１，４２・・・を有してなり、各固定側片４１，４２・・・同士が重ね合わされた状態で装飾空間の奥行き方向又は高さ方向に突っ張り固定される請求項１〜３のいずれか１項に記載の包装用箱。
【請求項６】
前記スライド片は、収容状態に組み上げる前の平面上の展開状態から、所定の折り線を折り曲げて収容状態とするものであり、展開状態において、スライド片に含まれるすべての構成片が一平面内に重なることなく配置される請求項１ないし５のいずれか１項に記載の包装用箱。
【考案の詳細な説明】
【技術分野】
【０００１】
本考案は、包装用箱に関し、特に、包装用箱の一側面寄りに窓付きの装飾空間を設け、装飾空間内に装飾片を収容して窓から装飾空間内を観察可能とした視覚的効果を有するものに関する。
【背景技術】
【０００２】
従来、角筒型の本体部の全面板に窓部が形成され、窓付き全面板の内側に小間隔を存して目隠し用面板が設けられ、該目隠し用面板の前面に、適宜の図柄の意匠部が形成されている包装箱が開示される（特許文献１参照）。
【０００３】
また同種の組立箱として従来、角型筒状の組み立て箱の前面板に覗き窓を形成し、のぞき窓を形成した前方内部に間隙部を介して中覗き窓を形成し、この間隙部内に模様板を収容するものが開示される（特許文献２参照）。
【先行技術文献】
【特許文献】
【０００４】
【特許文献１】実開昭６１−９１５１５号公報
【特許文献２】実開昭５６−２４６１７号公報
【考案の概要】
【考案が解決しようとする課題】
【０００５】
しかしながら、前記包装用箱乃至組立箱は、覗き窓内に模様等の意匠を施した板を設けるだけのデザインであり、窓内装飾という奥行き方向の基本デザインでありながら窓内では平坦な意匠装飾しか表現することができないことから、デザイン性が高いとは言い切れなかった。
これに対して例えば、窓枠よりも小さい装飾形状にカットした装飾板を複数枚差し込む、といった装飾を考え得るとしても、単に複数の装飾板を差し込むだけでは窓内で装飾片の位置を安定させることができない。このため、奥行きのあるデザイン装飾を安定して形成することが困難であった。
【０００６】
本考案は、このような事情を鑑みてなされたものであり、窓内装飾という奥行き方向の基本デザインに加えて、窓内にも奥行きのある意匠装飾を施して、デザイン性を向上させ、且つ、窓内に使用する各装飾片の位置を安定させて奥行きのあるデザイン装飾を安定して形成する包装用箱を提供することを課題とする。
【課題を解決するための手段】
【０００７】
上記課題を解決すべく、本考案の包装用箱は、内容物を包装する箱体に窓（１Ｗ）付きの装飾空間（Ｓ１）を設け、この装飾空間（Ｓ１）内に、任意の装飾形状に切り抜き成形された複数の装飾片（２１，２２・・・）を収容して、窓（１Ｗ）から装飾空間（Ｓ１）内の装飾片（２１，２２・・・）を観察可能とした構成からなるものであって、
前記装飾片（２１，２２・・・）は、前層寄りの第一装飾片（２１）と、後層寄りの第二装飾片（２２）と、・・・からなる複数の各装飾片同士を、装飾空間（Ｓ１）内の奥行き方向へ多層に重なるように互いに連結させた、一体のスライド片（Ｐ）からなることを特徴とする。
【０００８】
このようなものであれば、窓（１Ｗ）形成側から見たときに奥行き方向に重なる複数の装飾片すなわち装飾片群によって、窓内装飾に奥行きを持たせることが可能となる。また、複数の装飾片が互いに連結された一枚のスライド片（Ｐ）のみから構成される。このため、窓内装飾のデザインを複数種類採用するときに、スライド片（Ｐ）を異なる種類のものに変更するだけで、窓内の装飾片（２１，２２・・・）群をまとめて交換できる。このため、デザインを簡易に多様化させることができ、装飾片群のデザイン種ごとの管理がきわめて容易になる。
【０００９】
また本考案の包装用箱において、前記第一装飾片と、第二装飾片と、・・・からなる多層の装飾片同士は、各片同士を連結し且つその一部分が装飾空間（Ｓ１）周縁の構成板面（すなわち底板面、天板面、左右の各側板面）のいずれかに沿う（接触又は近接する）連結片（３）によって連結されることが好ましい。
【００１０】
前記装飾空間周縁の構成板面とは、装飾空間内部を構成する各面のうち前後面を除く四方側周囲の構成面をいう。具体的には、底板面、天板面、左側板面、右側板面のことである。連結片（３）は、これら各構成板面の少なくともいずれかに沿って配置収容される。
【００１１】
連結片（３）が、装飾空間（Ｓ１）の周縁を構成する包装箱内の構成板面に沿って該面に近接又は接触して配置されるため、連結片の装飾空間内での位置ずれが生じにくく、多層の装飾片を装飾空間（Ｓ１）内に安定した状態で収容することができる。
【００１２】
また本考案の包装用箱において、前記複数の装飾片（前記第一装飾片、第二装飾片・・・）の少なくともいずれかには、所定の折り線にて折り返し装飾可能な折り返し装飾片（２３，２４，２５，２６，２７，２８）が、各装飾片の先側に延設されるか、或いは他の装飾片との連結側に介設される。この折り返し装飾片は、前記折り線にて、装飾片に重なるように折り返された折り返し状態とし、この折り返し状態で装飾空間（Ｓ１）内に収容されることが好ましい。
【００１３】
このようなものであれば、収容状態のスライド片（Ｐ）は、複数の装飾片（２１，２２）と折り返し装飾片（２３，２４，２５，・・・）とが奥行き方向に重なって構成される。折り返し装飾片を含む３層以上の装飾片によって、一枚のスライド片（Ｐ）のみを使用して、より奥行き方向に深みのあるデザイン装飾が可能となる。特に折り返し装飾片を先側に延設する場合には、容易に装飾片を追加して多層化することが可能となる。
【００１４】
前記複数の装飾片２１，２２・・・は、つづら状又は包み（くるみ）状に多段階に折り返すことで、各片が部分的に又は全体的に重なりあった収容状態に組み上げられる。後述の実施例１〜４では連結された各装飾片を包み状に、すなわち表裏いずれかの共通方向へ多段階に折り返してなり、各装飾片の片先が上方を向くようにしている。また後述の実施例５では連結された各装飾片をつづら状に、すなわち表裏双方向へ交互に折り返してなり、表面が露出する装飾片と裏面が露出する装飾片とが交互に表れている。
【００１５】
また弾性を有する面板で各装飾片を一体的な板体で構成し、展開状態の板体を、板面内の所定の折り曲げ部（折り線）を折り曲げることによって収容状態に組み上げるものとすることができる。この場合、各折り曲げ部を折り曲げた収容状態では、塑性変形した折り曲げ部周辺の面板が、それ自体の弾性反力によって滑らかに湾曲してなり、部分的に湾曲した状態で窓内に露出することとなる。
【００１６】
また上記形態において、少なくとも折り返しの表面にのみ印刷ないし表面処理を施すこと、折り返しの表裏面に異なる表面処理（異なる種類または異なる範囲の印刷、表面コート、ないしエンボス加工）を施すことが可能である。
【００１７】
本考案の包装用箱において、前記複数の装飾片（前記第一装飾片、第二装飾片・・・）の少なくとも一片は、それぞれ装飾空間の奥行き方向又は高さ方向へ突っ張り固定される固定側片（４）を、側部ないし上下部の少なくともいずれかに有することが好ましい。
固定側片（４）が上下又は左右に亘って収容空間（Ｓ１）内に張り出し固定されることで、スライド片（Ｐ）及びその構成片である装飾片の位置固定が容易に行える。
【００１８】
或いは本考案の包装用箱において、前記複数の装飾片（２１，２２・・・）のうち少なくとも二片は、当該片の両側部に、装飾空間（Ｓ１）の奥行き方向又は／及び高さ方向に突っ張り固定される固定側片（４，４１，４２・・・）を延設してなり、各固定側片（４１，４２・・・）同士が重ね合わされた状態で装飾空間の奥行き方向又は／及び高さ方向に突っ張り固定されることが好ましい。
【００１９】
各固定側片（４）が上下又は左右、或いは上下及び左右に亘って張り出し位置固定されることで、装飾片（２１，２２・・・）ごとに収容空間（Ｓ１）内の奥行き方向の位置や角度をそれぞれ固定することができる。また、それぞれの固定側片（４１，４２・・・）が略同形状の重なり部分を有して互いに重なり形成されることで、比較的高剛性の固定側片の重畳体を構成することとなり、各装飾片をより確実に位置固定しつつ耐久性のあるスライド片とすることができる。
【００２０】
また本考案の包装用箱において、前記スライド片（Ｐ）は、収容状態に組み上げる前の、一平面上に展開された状態すなわち展開状態から、各片同士の連結接辺である所定の折り線を折り曲げて収容状態に組み上げるものであり、このうち展開状態において、スライド片に含まれるすべての構成片が一平面内に重なることなく配置されることが好ましい。このようなものであれば、スライド片を構成する各片（少なくとも装飾片及び連結片からなる）の片面が、展開状態で一枚の平板の面内に重なることなく配置されるため、平板をカットしてその面内に配置される各片を折り曲げるだけでスライド片Ｐの組み上げ加工をきわめて容易に行うことができる。
【考案の効果】
【００２１】
本考案にかかる包装用箱によれば、窓内装飾という奥行き方向の基本デザインを生かして窓内にも奥行きのある意匠装飾を施し、デザイン性を向上させるものとなった。また、窓内に使用する各装飾片の位置を安定させて奥行きのあるデザイン装飾を安定して形成するものとなった。
【図面の簡単な説明】
【００２２】
【図１】本考案の実施例１の包装用箱の構成を示す分解斜視図。
【図２】本考案の実施例１の包装用箱の組み立て状態を示す斜視図。
【図３】本考案の実施例１の箱体の展開状態図。
【図４】本考案の実施例１のスライド片の展開状態及び各折り畳み状態の説明図。
【図５】本考案の実施例２の包装用箱におけるスライド片の展開状態及び組み立て状態の説明図。
【図６】本考案の実施例３の包装用箱におけるスライド片の展開状態及び組み立て状態の説明図。
【図７】本考案の実施例４の包装用箱におけるスライド片の展開状態及び組み立て状態の説明図。
【図８】本考案の実施例５の包装用箱におけるスライド片の展開状態及び組み立て状態の説明図。
【考案を実施するための形態】
【００２３】
＜実施の形態＞
本考案の実施の形態における包装用箱の構成を実施例として示す各図に基づいて説明する。いずれの実施例も、本考案の包装用箱はその基本構成として、
内容物を包装可能な包装空間Ｓ０及び窓１Ｗ付きの装飾空間Ｓ１を有する箱体１と、
箱体１の前記装飾空間１Ｓ内に収容されて装飾空間Ｓ１内の所定位置に配置されるスライド片Ｐと、から構成される（図１、図２）。
【００２４】
前記スライド片Ｐは、前層寄りの第一装飾片２１と後層寄りの第二装飾片２２と、・・・からなる複数の装飾片２１，２２・・・を有して一体的に構成される。隣り合う装飾片２１，２２・・・同士は連結片３１，３２・・・によって連結され、各装飾片２１，２２・・・の少なくとも一部分同士が、装飾空間の奥行き方向に重なって多層に配置収容される。また、各装飾片２１，２２・・・はそれぞれ、任意の装飾形状に切り抜き成形されている。そして包装用箱の窓１Ｗから、装飾空間１Ｓ内に収容されて奥行き方向に重なった装飾片２１，２２を観察可能としている。以下、各実施例の構成につき詳述する。
【実施例１】
【００２５】
（箱体１）
図１〜２に示す実施例１の箱体１は、内容物を包装可能な包装空間Ｓ０と、包装空間Ｓ０の前後乃至左右側方に隣接する装飾空間Ｓ１と、を内部に有して構成される。具体的には、前板１１、背板１２、及び両側板１３，１４によって平面視四方に矩形構成される側周板のうち、左右の側板１３，１４間を亘る立て板からなる仕切り板１６が仕切り固定されている。この仕切り板１６によって函状の内部空間が仕切られて、装飾空間Ｓ１及び包装空間Ｓ０が前後乃至左右側方に隣接形成される。箱体１はフラップ１１１Ｆ付きの蓋板１１１が上部に取り付けられる。この蓋板１１１を開いて上方開口させた状態で、上部から内容物を包装空間Ｓ０に収容し、また同状態で、上部からスライド片Ｐを装飾空間Ｓ１内に収容する。箱体１の下部四隅にはそれぞれ、角部の隣り合う２面が下方に延設することで、脚部１Ｌが形成される。
【００２６】
内容物を包装可能な箱状に組み上げはじめる前の展開状態の箱体１を図３に示す。展開状態の箱体１は、横方向に左側板１３、前板１１、右側板１４、背板１２、延長板１５、及び仕切り板１６が順に連接され、仕切り板１６の先側辺には貼付けフラップ１６Ｆが延設される。これら横方向の連接板を各連接辺である折り線で内側へ略直角に折り曲げ、延長板１５及び貼り付けフラップ１６Ｆを側板内面に貼り付けて函状の四方側囲体を構成する。
【００２７】
また前板１１の上辺にはフラップ１１１Ｆ付きの蓋板１１１が延設され、前板及び背板の各下辺にはフラップ１１２Ｆ、１２２Ｆ付きの底板１１２、１２２がそれぞれ延設される。また左右側板１３，１４の各上辺には上部開閉用の差し込みフラップ１３１Ｆ、１４１Ｆがそれぞれ延設され、左右側板１３，１４の下辺には底部閉封用の差し込みフラップ１３２Ｆ、１４２Ｆがそれぞれ延設される。前記蓋板１１１、底板１１２、１２２はそれぞれ前板１１、背板１２から略直角に折り曲げられて、箱体の底部及び蓋部を構成する。このうち蓋部は開閉可能であり、蓋部を開いた状態の上部開口後部から内容物を収容して包装し、また同状態の上部開口前部から、組み上げたスライド片Ｐを収容する。
【００２８】
（装飾空間Ｓ１）
装飾空間Ｓ１は箱体１内の包装空間Ｓ０に対して区画された空間であり、刳り抜き窓または透明板窓によって、外部から空間内が認識可能となっている。実施例では、箱内の全巾方向を亘る仕切り板１６を、箱体１内の包装空間Ｓ０の前方寄りに固定することで装飾空間Ｓ１が隣接形成されている。実施例１の装飾空間Ｓ１は具体的には、前板１１と仕切り板１６と左右側板１３，１４とによって側周囲が囲われている。このうち前板１１には横長の隅丸方形形状の窓１Ｗが刳り抜き形成されており、この窓１Ｗから装飾空間内を観察可能となっている。尚、装飾空間Ｓ１は追加の仕切り板１６で装飾空間内をさらに区画するように仕切るなど、二つ以上設けてもよく、また包装空間Ｓ０の前部だけでなく側部、後部、上部ないし下部に設けてもよい。また実施例のような幅方向全体を仕切る平板状の仕切り板ではなく、箱内空間を部分的に曲がって仕切る屈曲又は湾曲板状の仕切り板で構成してもよい。実施例の窓１Ｗは箱体１の前面に横長矩形形状で刳り抜き形成されているが、装飾空間内を覗き見ることができるものであれば、形成位置、形成方法、数、ないし形状を問わない。また刳り抜き部分を透明板で覆ってもよい。
【００２９】
（スライド片Ｐ）
スライド片Ｐは、収容状態で装飾空間内に収容され、装飾空間内の窓内に部分的に露出することで包装箱の装飾効果を果たす。スライド片Ｐは少なくとも、複数の装飾片２１，２２・・・と各装飾片２１，２２・・・を連結する連結片３１，３２・・・とを具備した一体物からなり、このうち複数の装飾片２１，２２・・・は装飾空間Ｓ１内に収容された収容状態で、前層寄りの装飾片２１、後層寄りの装飾片２２、その中間層の装飾片、といったように、互いに奥行き方向に分かれて多層配置される。また各層の装飾片同士は奥行き方向に延びる連結片によって互いに連結している。
【００３０】
スライド片Ｐを装飾空間内に収容し得る収容状態に組み上げはじめる前の、一平面上に展開された状態、すなわち展開状態のスライド片Ｐを図４ａに示す。スライド片Ｐは、この展開状態から、各片同士の連結接辺である所定の折り線（２１ＦＬ，２２ＦＬ，３ＦＬ，４１ＦＬ，４２ＦＬ）を折り曲げて収容状態とするものであるが、図４ａに示す展開状態においては、スライド片Ｐに含まれる装飾片２１，２２・・・、連結片３１，３２・・・、及び固定側片４１，４２・・・からなるすべての構成片が、いずれも一平面内に重なることなく配置される。
【００３１】
展開状態のスライド片Ｐは具体的には、上部の第一装飾片２１の下辺へ第二連結片３２，第一連結片３１が順に連接され、第一連結片３１の下辺両端寄りの連結部からその下方に第二装飾片２２が連接される（図４ａ）。また第一装飾片２１、第二装飾片２２の両側辺にはそれぞれ、装飾片の収容位置を固定させるための縦長の固定側片４１，４２が側部外方へ延設される。各固定側片４１，４２は、装飾空間の側面外縁に嵌まり込むように上下に矩形に張り出した形状を有しており、上部の張り出し部、下部の張り出し部それぞれが、装飾空間側端の上部および下部にて、奥行き方向に突っ張り固定される。
【００３２】
次に、スライド片Ｐを図４ａに示す展開状態から図４ｄないし図１に示す収容状態とするまでの組み上げ手順を説明する。展開状態のスライド片Ｐを図４ｂに示す第一中間状態、図４ｃに示す第二中間状態を経て順に組み上げることで、図４ｄに示す収容状態となる。図４ｂでは折り線２２ＦＬを山折りして第一連結片３１、第二連結片３２、及び第一装飾片２１（符号（Ｂ）を付して示す片）がそれぞれ裏を向いた第一中間状態となっている。図４ｃでは第一中間状態（図４ｂ）からさらに、折り線２１ＦＬと折り線３ＦＬを共に山折りして、第一装飾片２１が、小幅の第二連結片３２分の奥行きをもって、第二装飾片２２の前方に層形成された第二中間状態となっている。この第二中間状態では、第一固定側片４１と第二固定側片４２とが小幅の第二連結片３２の片幅分又はこの片幅以下分の奥行き方向のズレを有して、互いに重なり合っている。
【００３３】
図４ｄでは前記第二中間状態（図４ｃ）からさらに、折り線４１ＦＬ，４２ＦＬをともに同方向に略垂直に折り返した収容状態となっている。この収容状態では図１，２に示すように、各装飾片２１，２２の両側部それぞれでわずかなズレをもって重なり合った第一固定側片４１，第二固定側片４２の各片先すなわち片側縁が、それぞれ前方を向くように構成される。
【００３４】
尚、図４ｂに示す第一中間状態から先に折り線４１ＦＬ，４２ＦＬを共に折り曲げて各固定側片４１，４２を立て、その後に折り線２１ＦＬと３ＦＬを共に山折りして、第一装飾片２１を第二装飾片２２の前方に配置するようにしてもよい。
【００３５】
スライド片Ｐを組み上げた収容状態（図４ｄ）で、各装飾片２１，２２は、装飾空間Ｓ１の奥行き方向の所定の隙間を有して、装飾空間内Ｓ１内で前後に配置される。このとき第二連結片３２はスライド片Ｐ全体の最底面を構成して略水平に伸び、収容空間Ｓ１の底部外縁である底板１１２の上面に沿って近接するか当接する。またこのとき第一連結片３１はスライド片Ｐ全体の最背面を構成して前記第二連結片３２の後縁の折り線３ＦＬから屈曲して略垂直に伸び、収容空間Ｓ１の後部外縁である仕切り板１６の前面に沿って近接するか当接する。そして前記第一連結片３１の上辺両側部寄りの折り線２２ＦＬから折り返されて、第一連結片３１の前方に第二装飾片２２が露出する。この第二装飾片２２は折り線２２ＦＬで屈曲すると共に当該折り線２２ＦＬ付近で弾性変形によってわずかに撓んで露出する。また収容状態において第一装飾片２１は第二連結片の前縁の折り線２１ＦＬから屈曲して略垂直に伸び、前記第二装飾片２２から第二連結片３２の奥行き長分の隙間を有して第二連結片３２の前方に重ねられる。このときこの第二装飾片２１は折り線２１ＦＬで屈曲すると共に当該折り線２１ＦＬ付近で弾性変形によってわずかに撓む。
【００３６】
またスライド片Ｐを組み上げた収容状態（図４ｄ）で、各固定側片４１，４２は、前後及び上下方向へのズレを有して互いに重ねられた状態となり、この重ねられた状態で、装飾空間側端の上部および下部に、奥行き方向に突っ張り固定される。スライド片Ｐは装飾片２１，２２・・・と連結片３１，３２・・・とが連結され、且つ全体が弾性を有した弾性板で形成されているため、組み上げた状態でズレを有して重ねられた固定側片４１，４２は、装飾空間Ｓ１の側面外縁の面内で突っ張って張り出すだけの、奥行き方向への弾性力を有している。固定側片４１，４２は、一片の上端辺付近及び残り他辺の下端片付近を除く大部分にて重なり合った状態で装飾空間Ｓ１の両側部に収容される。各固定側片４１，４２同士の重なり合った部分は、各装飾片を安定的に収容配置するための最小範囲であり、重畳状態で収容されるため複数片全体で比較的高強度となっている。また各固定側片４１，４２それぞれでズレた部分は、各々異なる方向へ一枚ずつ突出した突出部となっている。この突出部が装飾空間Ｓ１の周縁内面に圧接することで、弾性体からなる固定側片全体が折れ曲がるか湾曲した状態で配置固定され、突っ張り効果を効率的に発揮するものとなる。また、ズレた突出部分が潰れ代となって折れ曲がった場合でも、折れ曲がり時に残る弾性反力によって所定の突っ張り効果を発揮し、さらに重なり合った部分によって固定のための最小範囲の剛性を確保することができる。
【００３７】
（連結片３１，３２・・・）
連結片３１，３２・・・のうち細幅矩形の第二連結片３２は、装飾空間の奥行き方向の周板である底板に沿い、かつ当該底板に近接するように配置される。また連結片の片幅は底板１１２の幅の大部分である８割長以上を有している。
【００３８】
（固定側片４１，４２）
前層寄り、後層寄りの少なくとも２枚の各装飾片２１，２２、すなわち第一装飾片２１及び第二装飾片２２には、それぞれの両側部から外方に張り出した、第一固定側片４１，第二固定側片４２が延設形成される。各固定側片４１／４２は収容空間Ｓ１の上下方向及び奥行き方向に亘って張り出して収容されることで、収容空間Ｓ１の側面内に突っ張り固定される。複数の装飾片４１，４２それぞれは互いに略同形状であり、スライド片Ｐを収容状態としたときに互いに重なり形成される。
【００３９】
実施例の固定側片４１，４２は具体的には、上部に略矩形に張出した上部張出部４Ａと、下部に略矩形に張出した下張出部４Ｂと、その間を上下連結すると共に内側辺にて装飾片２１，２２に連接する細幅の連結部４Ｃとから構成される（図２）。上張出部４Ａ、連結部４Ｃ、及び下張出部４Ｂは、高さ方向に一体的に張り出して亘り、装飾空間Ｓ１の高さ方向に突っ張り固定される。また上張出部４Ａ、下張出部４Ｂは、連結される装飾片から前後方向へそれぞれ張り出して亘り、装飾空間Ｓ１の奥行き方向に突っ張り固定される。上張出部４Ａの上二隅の角部、及び下張出部４Ｂの下二隅の角部はそれぞれ、角丸ないし小傾斜辺状に面取りされており、突っ張り強度を確保している。
【００４０】
また、収容状態で内側に重ねられる第一固定側片４１と外側に重ねられる第二固定側片４２とでは、連結部４Ｃの下部近傍の内側辺の形状を若干異ならしめている。具体的には、収容状態で内側に重ねられる第一固定側片４１の下張出部４Ｂの内側辺は、斜めに大きく傾斜した傾斜部４１ＣＬによって切欠き形成されており、収容状態で外側に重ねられる第二固定側片４２の下張出部４Ｂの内側辺は、これよりも内側に張り出して縦方向に直角に張出した直角部４２ＣＬによって張出し形成される。斜めに形成される傾斜部４１ＣＬによって、スライド片Ｐをスムーズに組み上げることが可能となる（図４）。
【実施例２】
【００４１】
実施例２のスライド片Ｐの展開状態及びこれを組み上げた収容状態をそれぞれ図５ａ，図５ｂに示す。実施例２では前層寄りの第一装飾片２１と、後層寄りの第二装飾片２２と、その中間層の折り返し装飾片たる第三装飾片２３と、からなる３層の装飾片が、第一、第二、第三連結片３１，３２，３３で連結されてなる。
【００４２】
図５ａに示す展開状態では、上部の第一装飾片２１の下辺へ第二連結片３２，第一連結片３１が順に連接され、第一連結片３１の下辺両端寄りの連結部からその下方に第二装飾片２２が連接される。またさらに、第二装飾片２２の下辺両端よりの連結部からその下方に第三連結片３３を介して第三装飾片２３が連接される。
【００４３】
図５ｂに示す収容状態では、展開状態のスライド片Ｐを組み上げることで、これら３層の装飾片がそれぞれの片先を上方に向け、かつ互いに奥行き方向に分かれて多層配置される。また各層の装飾片同士は奥行き方向に延びる連結片によって互いに連結している。特に第三装飾片２３は幅方向中央部が上方突出形状に切り抜き成形されており、第三連結片３３の上辺及び下辺を順に谷折り、山折りとつづら折り成形することで、第三装飾片２３の前記切り抜き成形部分が、その片先を上方に向け、第二装飾片２２の前面、かつ第一装飾片２１の後面に重なって露出する。その他、収容対象である箱体１の構造をはじめ、特記しない他の構成は実施例１と同様である。
【実施例３】
【００４４】
実施例３のスライド片Ｐの展開状態及びこれを組み上げた収容状態をそれぞれ図６ａ，図６ｂに示す。実施例３では前層寄りの第一装飾片２１と、後層寄りの第二装飾片２２と、第一装飾片２１よりもさらに前層に位置する折り返し装飾片たる第四装飾片２４とからなる３層の装飾片が、第一、第二、第四連結片３１，３２，３４で連結されてなる。
【００４５】
図６ａに示す展開状態では、中央の第一装飾片２１の下辺に第二連結片３２，第一連結片３１が順に連接され、第一連結片３１の下辺両端寄りの連結部からその下方に第二装飾片２２が連接される。またさらに、中央の第一装飾片２１の上辺に第四連結片３４が、そして第四連結片３４の上辺に第四連結片２４が、順に連接される。
【００４６】
図６ｂに示す収容状態では、展開状態のスライド片Ｐを組み上げることで、前記３つの装飾片がそれぞれの片先を上方に向け、かつ互いに奥行き方向に分かれて多層配置される。また各層の装飾片同士は奥行き方向に延びる連結片によって互いに連結している。特に第四装飾片２４は上辺の片先が部分的に窪むように切り抜き成形されており、第四連結片３４の上辺（折り線２４ＦＬ）及び下辺（折り線３４ＦＬ）を順に山折り、谷折りとつづら折り成形することで、第四装飾片２４の前記切り抜き成形部分が、その片先を上方に向け、第一装飾片２１の前面に重なって露出する。その他特記しない他の構成は実施例１と同様である。
【実施例４】
【００４７】
実施例４のスライド片Ｐの展開状態及びこれを組み上げた収容状態をそれぞれ図７ａ，図７ｂに示す。実施例４は実施例２の第三装飾片２３と実施例３の第四装飾片２４とを共に有した実施例２と実施例３との組み合わせ形態の実施例である。具体的には実施例４では前層寄りの第一装飾片２１と、後層寄りの第二装飾片２２と、第一装飾片及び第二装飾片の中間層の折り返し装飾片２３と、第一装飾片２１よりもさらに前層に位置する折り返し装飾片たる第四装飾片２４と、からなる４層の装飾片が、第一、第二、第三、第四連結片３１，３２，３３，３４で連結されてなる。
【００４８】
図７ａに示す展開状態では、第一装飾片２１の下辺へ第二連結片３２，第一連結片３１が順に連接され、第一連結片３１の下辺両端寄りの連結部からその下方に第二装飾片２２が連接される。さらに、第二装飾片２２の下辺両端よりの連結部からその下方に第三連結片３３を介して第三装飾片２３が連接される。また、中央の第一装飾片２１の下辺に第二連結片３２，第一連結片３１が順に連接され、第一連結片３１の下辺両端寄りの連結部からその下方に第二装飾片２２が連接される。またさらに、中央の第一装飾片２１の上辺に第四連結片３４が、そして第四連結片３４の上辺に第四連結片２４が、順に連接される。
【００４９】
図７ｂに示す収容状態では、展開状態のスライド片Ｐを組み上げることで、これら４層の装飾片がそれぞれの片先を上方に向け、かつ互いに奥行き方向に分かれて多層配置される。また各層の装飾片同士は奥行き方向に延びる連結片によって互いに連結している。特に第三装飾片２３は中央部に上方突出形状に切り抜き成形されており、第三連結片の上辺及び下辺を順に谷折り、山折りとつづら折り成形することで、第三装飾片の前記切り抜き成形部分が、その片先を上方に向け、第二装飾片の前面に重なって露出する。また特に第四装飾片２４は上辺の片先が部分的に窪むように切り抜き成形されており、第四連結片３４の上辺（折り線２４ＦＬ）及び下辺（折り線３４ＦＬ）を順に山折り、谷折りとつづら折り成形することで、第四装飾片２４の前記切り抜き成形部分が、その片先を上方に向け、第一装飾片２１の前面に重なって露出する。その他特記しない他の構成は実施例２ないし３の各部と同様である。
【実施例５】
【００５０】
実施例５のスライド片Ｐの展開状態及びこれを組み上げた収容状態の要部をそれぞれ図８ａ，図８ｂに示す。実施例２では最後層の連結片２０からその下辺に第一装飾片２１が連なり、また第一装飾片２１の下辺から第二、第三、第四、第五、第六、第七装飾片までの各装飾片（２２，２３，２４，２５，２６，２７）を介して最前層の第八装飾片２８までが順に先側に連なる。このうち最後層の連結片２０及び第八装飾片２８の各両端には、後固定側片４０，前固定側片４８が延設される。
このうち組み上げた収容状態にて表面を露出させるのは第一、第三、第五、第七装飾片（２１，２３，２５，２７）のみであり、これらをそれぞれ繋ぐ連結片として第二、第四、第六装飾片（２２，２４，２６）が介設される。また第七装飾片２７の先にはさらに折り返し装飾片である第八装飾片２８が延設される。第八装飾片２８は折り返されて展開状態（図８ａ）の裏面が露出する。
【００５１】
図８ａに示す展開状態では、最上部の連結片２０の下辺へ第一装飾片２１が、第一装飾片２１の下辺へ第二装飾片２２が、第二装飾片２２の下辺へ第三装飾片２３が、第三装飾片２３の下辺へ第四装飾片２４が、第四装飾片２４の下辺へ第五装飾片２５が、第五装飾片２５の下辺へ第六装飾片２６が、第六装飾片２６の下辺へ第七装飾片２７が、そして第七装飾片２７の下辺へ第八装飾片２８が、それぞれ順に連接される。これら第一〜第八装飾片は順に小さい幅となるように形成されており、スライド片Ｐ全体で片側辺（図８ａの向かって左辺）が垂直方向に揃うと共に、他側辺（図８ａの向かって右辺）が直線の傾斜辺４Ｔで下方に小幅となるように形成される。
【００５２】
図８ｂに示す収容状態では、展開状態のスライド片Ｐにおける各装飾片の連接辺を折り線として、つづら折りで、すなわち山折り及び谷折りを交互に繰り返して折り返すことで、装飾片の傾斜辺４Ｔの辺近傍部分が裏表交互に重なって露出し、また、より小幅の装飾片が、大きい幅の装飾片の前面に重なって露出する。なお図８ｂでは向かって手前側の固定側片４０，４８の図示を便宜上省略している。その他特記しない他の構成は実施例１と同様である。
【００５３】
＜作用効果＞
本考案の装飾片２は、前層の第一装飾片２１と、後層の第二装飾片２２と、・・・からなる多層の各装飾片同士を、装飾空間内の奥行き方向へ部分的に又は全体的に重なるように互いに連結させた、一体のスライド片Ｐからなる。このようなものであれば、奥行き方向に重なる装飾片群によって奥行きのある窓内装飾が可能となる。また、複数の装飾片が一枚のスライド片Ｐで構成されるため、複数のデザインを採用するときに、スライド片Ｐを変更するだけで窓内の装飾片群をまとめて交換できることから窓内の多層装飾を多様化させることができると共に、装飾片群の管理が容易になる。
【００５４】
前記第一装飾片２１と、第二装飾片２２と、・・・からなる多層の装飾片同士を連結する連結片３１，３２・・・は、各片同士を連結し且つその一部分が装飾空間Ｓ１周縁の板面に沿うように配置される。これによってスライド片Ｐを収容空間Ｓ１内で不要にずれることなく固定することが容易となる。
【００５５】
また実施例２〜４では、複数の装飾片（第一装飾片２１、第二装飾片２２・・・）の少なくともいずれかの先側又は近接する各装飾片間側に、折り返し装飾可能な折り返し装飾片（第三装飾片２３、第四装飾片２４・・・）が設けられる。各装飾片と連接片との境界である折り線にて、順につづら状又は包み状に多段階に折り返すことで、折り返し装飾片は各装飾片の前面へ重なるように折り返された状態で装飾空間Ｓ１内に収容される。
【００５６】
各装飾片は、少なくとも折り返しの表面にのみ印刷されるものであればよい。その他、折り返しの表裏面に異なる表面処理（異なる種類または異なる範囲の印刷、表面コート、ないしエンボス加工）を施したものでもよい。
【００５７】
前記複数の装飾片の少なくとも一片は、それぞれ装飾空間の奥行き方向又は高さ方向へ突っ張り固定される固定側片４１，４２・・・を有する。この固定側片４１，４２・・・は、複数の装飾片２１，２２・・・又は連結片３１，３２・・・のうち少なくとも二片の両側部からそれぞれ外方へ張り出して形成され、この張出した片先部又は片側部が、装飾空間Ｓ１の奥行き方向及び高さ方向の両内縁に接して突っ張り固定される。また実施例では、複数の固定側片４１，４２・・・同士がわずかなズレをもって重ね合わされ、この重ね合わされた状態の固定側片４１，４２・・・のいずれかが、装飾空間Ｓ１の両側部それぞれの奥行き方向又は／及び高さ方向に張り出して突っ張り固定される。
【００５８】
前記スライド片Ｐは、一平面上に展開された状態すなわち展開状態から、少なくとも装飾片，連結片からなる各片同士の連接辺である所定の折り線を折り曲げて収容状態とするものである。この展開状態においては、スライド片Ｐに含まれるすべての構成片が一枚の平板内に重なることなく配置される。スライド片Ｐは複数の装飾片が部分的に又は全体的に重なるように層状に組み上げられた収容状態となるため、奥行きのある装飾が可能である。また、スライド片Ｐが一枚の平板からなる原紙を組み上げたものとして構成されるため、複数種類の異なるデザインのスライド片Ｐを追加し易く、さらにスライド片Ｐを異なるデザインのものに差し替えるだけで装飾空間Ｓ１内のデザインを変更できるため、窓内装飾を簡易に多様化することができる。
【００５９】
また実施例２、３、４の前層寄り、後層寄りの各装飾片は、少なくともいずれかが先側に折り返し装飾片が延設されており、各折り返し装飾片は延設境界である折り線で折り返され、被延設の装飾片と正面視にて重なった状態にまで組み上げられて収容状態となる。
折り返し状態ではスライド片Ｐの表裏の両面が窓内に露出する。このため、少なくとも折り返しの表面にのみ印刷する、折り返しの表裏面に異なる種類の表面処理を施しておくなどすることで、異なる処理の板面が窓内の正面方向に露出することとなる。
【００６０】
また複数種類のデザインの装飾板を使用することで、窓内装飾を多様化させることも可能であるが、この際に、デザインの種類ごとに複数枚ずつ装飾板を使用すると、装飾板の管理が煩雑となる、という問題を有していた。これに関し、本考案では一枚のスライド片Ｐのみで窓内装飾し、またスライド片Ｐを、本体部である箱体１と独立させた１枚の挿入片のみで構成し、かつこのスライド片Ｐのみで複数枚の装飾片２１，２２・・・を重ねて多層表示するように構成している。また特に、共通の箱体１を使用しつつ複数種類のデザインのスライド片Ｐを使用するものとしている。このため、スライド片Ｐを異なるデザインのものに取り替えるだけで空間内の装飾デザインを変えることができ、窓内装飾を簡易に多様化させるものとなった。またスライド片Ｐが複数の装飾片２１，２２・・・を連結させて一枚ずつ構成されるため、複数の装飾板２１，２２・・・を比較的容易に管理できるものとなった。
【００６１】
なお空間内の装飾デザインのバリエーションを増やすという意味では、複数のスライド片Ｐを一つの装飾空間内１Ｓに収容することも可能である。この場合、例えばデザインの異なる〔ｎ＋１〕（ｎは自然数を意味する。）種類以上のスライド片Ｐをあらかじめ用意しておき、ｎ枚以下の複数のスライド片Ｐを選択して一つの装飾空間Ｓ１内に重ねて或いはずらして収容することで、スライド片Ｐの組み合わせによる装飾効果を奏することもできる。
【００６２】
以上、実施の形態をもとに本考案を説明した。実施の形態は例示であり、本考案の主旨から逸脱しない限り、上述各実施の形態に対して、さまざまな変更、増減、組合せを加えてもよい。例えば各片の外形や、展開状態での連結方向、連結順番、ないし各装飾片同士の重なり方、ないし連結片による連結方法や連結位置、ないし装飾空間の形成位置や形成数、装飾空間内の視認可能手段等は、上述した各実施例に限らず他の実施態様を採用し得るか、或いは上述した各実施例のうちいずれか１ないし複数の構成要素を抽出乃至組み合わせて使用し得る。また包装箱に収容可能なスライド片Ｐのみ、或いは収容空間とスライド片Ｐの組み合わせのみで構成してもよく、包装空間と収容空間とを明確に区画しない包装用箱にスライド片Ｐを収容するものでもよい。さらには１ないし複数種類のスライド片Ｐと、一ないし複数種類の箱体１との組み合わせからなる組み合わせ包装用箱セットを構成してもよい。上記のほか、各構成要素ないしその少なくとも一部分を抽出して変更、増減、組合せを加えた変形例も本考案の範囲にあることは当業者に理解されるところである。
【符号の説明】
【００６３】
１Ｗ  窓
２１  第一装飾片（装飾片）
２２  第二装飾片（装飾片）
２３  第三装飾片（折り返し装飾片）
２４  第四装飾片（折り返し装飾片）
２５  第五装飾片（折り返し装飾片）
２６  第六装飾片（折り返し装飾片）
２７  第七装飾片（折り返し装飾片）
２８  第八装飾片（折り返し装飾片）
３  連結片
３１  第一連結片
３２  第二連結片
３３  第三連結片
３４  第四連結片
４  固定側片
４１  第一固定側片
４２  第二固定側片
４３  第三固定側片
Ｐ  スライド片
Ｓ０  包装空間
Ｓ１  装飾空間
【図１】
0003185731.tif 000003
【図２】
0003185731.tif 000004
【図３】
0003185731.tif 000005
【図４】
0003185731.tif 000006
【図５】
0003185731.tif 000007
【図６】
0003185731.tif 000008
【図７】
0003185731.tif 000009
【図８】
0003185731.tif 000010